(57)【要約】【課題】情報機器で立体画像を生成するための左眼用画像と右眼用画像を撮影する際に、表示手段で立体画像を確認できるようにして撮影の失敗を防ぐことができるようにする。【解決手段】画像の撮影を行う撮影手段４と、撮影手段から入力された画像と撮影済みの画像を選択的に表示する表示手段８とを有し、撮影手段に付加し撮影対象の画像を視差を有する２つの画像に分離する立体画像撮影用アダプタ３が装着可能な情報機器１であって、上記表示手段が立体画像撮影用アダプタを用いて撮影された視差を有する２つの画像から生成される立体画像を表示する立体画像表示モード１４を備える。【選択図】　　　　　図４
2004112111.tif 000002
【特許請求の範囲】
【請求項１】
画像の撮影を行う撮影手段と、上記撮影手段から入力された画像と撮影済みの画像を選択的に表示する表示手段とを有し、上記撮影手段に付加し撮影対象の画像を視差を有する２つの画像に分離する立体画像撮影用アダプタが装着可能な情報機器であって、
上記表示手段は、上記立体画像撮影用アダプタを用いて撮影された視差を有する２つの画像から生成される立体画像を表示する立体画像表示モードを備える
ことを特徴とする情報機器。
【請求項２】
上記表示手段が平面画像表示モードを備える
ことを特徴とする請求項１に記載の情報機器。
【請求項３】
上記立体画像表示モードでは、画像の立体的表示を含む複数の表示を選択的に切り替え可能とした
ことを特徴とする請求項１に記載の情報機器。
【請求項４】
立体画像が両眼視差を用いた立体画像表示方式に対応したものであり、
上記立体画像表示モードでの画像の表示には、画像の立体的表示、左眼用画像と右眼用画像との重ね合わせ表示、左眼用画像と右眼用画像を画面の中央で左右に分けて同時に表示、左眼用画像のみの表示及び右眼用画像のみの表示が含まれる
ことを特徴とする請求項３に記載の情報機器。
【請求項５】
上記立体画像表示モードで左眼用画像と右眼用画像を画面の中央で左右に分けて同時に表示する時に、左眼用画像と右眼用画像との位置ずれを確認するために、左眼用画像と右眼用画像に縦横の格子を重ねて表示し得る
ことを特徴とする請求項４に記載の情報機器。
【請求項６】
上記撮影手段からの立体画像生成用データの出力を検知する検知手段を備え、
上記検知手段によって立体画像生成用データが検知されたときには、表示手段を立体画像表示モードに切り替える
ことを特徴とする請求項１に記載の情報機器。
【発明の詳細な説明】
【０００１】
【発明が属する技術分野】
本発明は、画像の撮影及び表示を行えるようにされた情報機器に関する。詳しくは、立体画像を撮影する際に、表示手段で立体画像を確認できるようにするための技術に関する。
【０００２】
【従来の技術】
近年、情報機器の一種である画像表示装置においては、立体画像を認識可能に表示する立体画像表示装置が提案され、実用化されている。そして、立体画像は、情報機器の一種である撮影装置に立体画像撮影用アダプタを装着して撮影される。立体画像撮影用アダプタは、例えば、両眼視差を用いた立体画像にあっては、ミラー等の光学的手法を用い、同一の撮影対象について左眼用画像と右眼用画像を撮影装置で同時に撮影することができるようにするものである。
【０００３】
上記撮影装置は、撮影時に撮影対象を表示したり、撮影済みの画像を表示したりするための表示手段を有するが、撮影した左眼用画像及び右眼用画像を用いて生成された立体画像を表示することはできなかった。
【０００４】
【発明が解決しようとする課題】
ところで、立体画像撮影用アダプタを装着した撮影装置では、左眼用画像と右眼用画像が最も立体的視覚効果を発揮することができる視差を有するように撮影すること、すなわち、左眼用画像と右眼用画像の中心間の距離が立体画像の観察者の両眼の間隔より多少短くなるように撮影することが必要である。しかし、以下に示すような様々な要因に影響されて、立体画像を生成するための左眼用画像と右眼用画像の撮影は非常に難しかった。
【０００５】
すなわち、立体画像撮影用アダプタを撮影装置に正確に装着しないと、左眼用画像と右眼用画像とが最も立体的視覚効果を発揮することができる適正視差を有するように撮影することができない。また、立体画像の品質は、左眼用画像と右眼用画像のピント位置の違い、ぶれ、露光などの撮影条件によって左右され易い。
【０００６】
したがって、撮影が難しい左眼用画像と右眼用画像は、左眼用画像及び右眼用画像によって生成される立体画像を表示させることによりその場で確認して、左眼用画像と右眼用画像のズレ、ピントの状態、ぶれ、露光の過不足、適正視差であるか否かなどについて確かめることが必要であった。
【０００７】
しかし、従来では、撮影時に表示手段に立体画像を表示して立体効果を確認しながら画像の撮影を行ったり、撮影済みの画像をその場で立体表示させたりすることができる撮影装置はなかった。
【０００８】
本発明は、上記問題点に鑑み、情報機器で立体画像を生成するための左眼用画像と右眼用画像を撮影する際に、表示手段で立体画像を確認できるようにして撮影の失敗を防ぐことができるようにすることを課題とする。
【０００９】
【課題を解決するための手段】
本発明情報機器は、上記課題を解決するために、表示手段が立体画像撮影用アダプタを用いて撮影された視差を有する２つの画像から生成される立体画像を表示する立体画像表示モードを備えるようにした。
【００１０】
したがって、本発明情報機器にあっては、立体画像表示モードで立体画像が表示される。
【００１１】
【発明の実施の形態】
以下に、本発明情報機器の実施の形態について添付図面を参照して説明する。なお、以下の実施の形態は、本発明情報機器を立体画像撮影用アダプタを装着することによって立体画像生成用データの撮影が可能になるデジタルカメラに適用したものである。
【００１２】
情報機器１は、図１乃至図４に示すように、筐体２に立体画像撮影用アダプタ（以下、「アダプタ」という。）３が装着されて使用される。なお、上記立体画像撮影用アダプタ３は、例えば、内部に組み込むことによって情報機器１と一体にすることも可能である。
【００１３】
筐体２は内部に、図４に示すように、撮影手段４、画像処理手段５、記憶手段６、制御手段７、表示手段８などを備え、制御手段７は検知手段９を有している。
【００１４】
また、図３に示すように、筐体２は、前面２ａから前方に向かって突出した部分がレンズ鏡筒１０とされ、該レンズ鏡筒１０内には撮影手段４の構成要素の一つである撮影レンズ１１が保持されている。また、筐体２の背面２ｂには、図２に示すように、撮影時や記憶手段６に記憶された画像などの再生時に、対象となる画像を表示する表示手段（液晶モニター）８や、表示手段８の表示モードの切り替えや情報機器１の各種設定などを行うための操作スイッチ２ｃが設けられている。
【００１５】
撮影手段４は撮影レンズ１１と撮像素子１２とを有する。撮影レンズ１１は、適宜な構成を有するレンズ系から成り、上記アダプタ３を介して取り込まれた撮影対象からの光束を撮像素子１２の撮像面１２ａに結像させる。
【００１６】
アダプタ３は、撮影対象からの光束を視差を有する２つの光束に分離する働きを為すものであり、図３に示すように、鏡筒部３ａと、該鏡筒部３ａの前方に位置し前方に向かって開口した漏斗状を為す開口部３ｂと、開口部３ｂの内部において互いに対向するように配置された第１のミラー３ｃ及び第２のミラー３ｄを有している。そして、アダプタ３は、例えば、鏡筒３ａの開口側の端部を上記レンズ鏡筒１０に外嵌することによって筐体２に装着される。
【００１７】
上記アダプタ３の第１のミラー３ｃと第２のミラー３ｄは、図３に示すように、所定の間隔を保った状態で、撮影レンズ１１の光軸ｘに対してそれぞれ所定の角度傾斜させて配置される。また、第２のミラー３ｄの傾斜角度は、第１のミラー３ｃの上記光軸ｘに対する傾斜角度に対しθ°の角度差を有するようにされている。
【００１８】
したがって、図３に示すように、上記第１のミラー３ｃと第２のミラー３ｄとによって順に反射された光束Ｒ１と、第１のミラー３ｃ及び第２のミラー３ｄによる反射を介さない光束Ｒ２とが、撮影レンズ１１によって撮像素子１２の左半分及び左半分に分離して結像され、これらによって、撮像素子１２からは撮影対象が同一で視差を有し立体画像を生成するための左眼用画像Ｌ及び右眼用画像Ｒのデータから成る画像信号（以下、「立体画像生成用データ」という。）が画像処理手段５に出力される。
【００１９】
画像処理手段５は、例えば、所定の構成を有する画像処理回路である。画像処理手段５は、撮像素子１２から出力される上記立体画像生成用データや立体画像生成用データではない平面画像の画像信号に適宜な処理を施し、記憶手段６や表示手段８にデータを出力する。なお、画像処理手段５で立体画像生成用データに対して行われる処理については後述する。
【００２０】
記憶手段６は、画像処理手段５から出力された画像信号を記憶するものであり、例えば、書き換え可能な半導体メモリー（ＲＡＭ）等によって構成される。
【００２１】
制御手段７は、例えば、ＣＰＵ（中央処理装置）であり、撮像素子１２、画像処理手段５、記憶手段６、表示手段８等の動作を制御するものである。
【００２２】
表示手段８は、例えば、液晶表示パネルを有し、液晶表示パネルに分割波長板フィルタやレンチキュラーレンズなどの図示しない適宜な要素を付加することによって両眼視差を用いた画像の立体表示も行えるようになっている。また、表示手段８は、撮影手段４から入力された画像と記憶手段６に記憶された撮影済みの画像を選択的に表示する表示モードとして、図５に示すように、平面画像表示モード１３と複数の表示が含まれる立体画像表示モード１４を有する。
【００２３】
なお、平面画像表示モード１３と立体画像表示モード１４の表示モードの切替は、上記操作スイッチ２ｃの操作による手動切り替えと、後述するように、検知手段９による立体画像生成用データの出力の検知、すなわち、撮像素子１２から出力される画像信号に立体画像生成用データが含まれるか否かの判断に基づいて行われる。
【００２４】
上記平面画像表示モード１３は、立体画像生成用データではない画像信号を平面的に表示する表示モードである。上記立体画像表示モード１４は、図５に示すように、画像の立体表示１５、左眼用画像Ｌと右眼用画像Ｒを重ね合わせた表示（以下、「左右重ね合わせ表示」という。）１６、左眼用画像Ｌと右眼用画像Ｒを画面の中央で左右に分けた同時表示（以下、「左右同時表示」という。）１７、左眼用画像Ｌのみの表示（以下、「左単独表示」という。）１８、右眼用画像Ｒのみの表示（以下、「右単独表示」という。）１９を、例えば、上記操作スイッチ２ｃの操作によって選択できるようにされている。なお、上記立体画像表示モード１３には、上記５つの表示が必ずしも全て含まれていなくても良い。
【００２５】
更に、立体画像表示モード１４では、上記左右同時表示１７、左単独表示１８、右単独表示１９においては、表示される画像に縦横の格子を付加してこれらを重ねた格子重ね左右同時表示１７ａ、格子重ね左単独表示１８ａ、格子重ね右単独表示１９ａが可能になっている。
【００２６】
立体画像生成用データの立体表示１５では、撮影した左眼用画像Ｌと右眼用画像Ｒとが合成されて表示された立体画像を見ることにより、左右の視差が適正であるかということや構図の良否などを確認することができる。また、立体画像生成用データの左右重ね合わせ表示１６、左右同時表示１７、左単独表示１８、右単独表示１９によって、立体画像を生成するための左眼用画像Ｌと右眼用画像Ｒとを比較して、両者の撮影時の不具合、例えば、輝度、彩度、露光状態、ピント位置のずれなどの比較を簡単に行うことができる。さらに、立体画像生成用データの格子重ね左右同時表示１７ａ、格子重ね左単独表示１８ａ及び格子重ね右単独表示１９ａのように、各表示の画像に縦横の格子を付加してこれらを重ねた表示を行うようにすることにより、左眼用画像Ｌと右眼用画像Ｒの撮影対象の位置ずれ（特に上下方向の視差の発生）や両者間で回転が生じていないかどうかを確認することができる。
【００２７】
検知手段９は、例えば、撮像素子１２から出力される画像信号や記憶手段６から読み出された画像信号の撮影画角の中心部に相当する情報からパターン検出を行い、画像信号が左眼用画像Ｌの信号と右眼用画像Ｒの信号、すなわち、立体画像生成用データを含むか否かの判断を行って、その結果を制御手段７に出力する。
【００２８】
上記立体画像表示モード１４における表示手段８の様々な表示状態は、図５に概略的に示すように、撮影手段４から入力された画像信号と記憶手段６に記憶された撮影済みの画像信号に画像処理手段５による以下の処理を行うことによって為される。
【００２９】
すなわち、画像処理手段５は、上記立体表示１５では、表示手段８の立体画像表示方法に則して、例えば、立体画像の表示方式が所謂縦ライン表示方式である場合には、表示手段８の画面８ａの垂直方向に一列に並んだ多数の画素を一単位（縦ライン）とし、これらの縦ラインに交互に左眼用画像Ｌ及び右眼用画像Ｒを表示するためのデータを作成する処理を行って、そのデータを表示手段８に出力する。
【００３０】
左右重ね合わせ表示１６では、画像処理手段５は、表示手段８の画面８ａに左眼用画像Ｌと右眼用画像Ｒが重なり合って同時に視認できるように表示されるデータを作成する処理を行って、そのデータを表示手段８に出力する。
【００３１】
左右同時表示１７では、画像処理手段５は、表示手段８の画面８ａを中央で２つに分割し、これら分割された２つの領域に左眼用画像Ｌと右眼用画像Ｒを個々に配置して表示するデータを作成する処理を行って、そのデータを表示手段８に出力する。
【００３２】
また、画像処理手段５は、左単独表示１８及び右単独表示１９では、入力された立体画像生成用データから左眼用画像Ｌの信号と右眼用画像Ｒの信号を分離して、表示手段８の画面８ａ全体にそれぞれ、左眼用画像Ｌ及び右眼用画像Ｒのうちの一方のみを表示させるデータを作成する処理を行って、そのデータを表示手段８に出力する。
【００３３】
そして、画像処理手段５は、格子重ね左右同時表示１７ａ、格子重ね左単独表示１８ａ及び格子重ね右単独表示１９ａでは、左右同時表示１７、左単独表示１８及び右単独表示１９で表示された画像に、それぞれ縦横の格子を重ね合わせて表示するデータを作成する処理を行って、そのデータを表示手段８に出力する。
【００３４】
以下に、情報機器１における表示手段８の表示モードの切り替え、すなわち、平面画像表示モード１３と立体画像表示モード１４の切替について説明する。
【００３５】
情報機器１においては、撮像素子１２からの立体画像生成用データの出力を検知手段９が検知したときや記憶手段６から再生用の立体画像生成用データが読み出されたときには、表示手段８の表示モードが切り替えられる。
【００３６】
情報機器１においては、アダプタ３を用いずに平面画像の撮影を行った時、すなわち、平面画像の撮影時で撮像素子１２から立体画像生成用データである画像信号が出力されない時や、記憶手段６に記憶された平面画像データのみの画像信号の再生時には、検知手段９によって、撮像素子１２から出力される信号や記憶手段６から出力される信号からは立体画像信号が検知されないので、制御手段７によって表示手段８は平面画像表示モード１３に設定される。
【００３７】
一方、アダプタ３をレンズ鏡筒１０に装着して画像の撮影を行った時や、記憶手段６に記憶された立体画像の再生時には、検知手段９によって、撮像素子１２から出力される信号や記憶手段６から出力される信号から立体画像信号が検知されてフラグが立てられ、制御手段７は表示手段８を立体画像表示モード１４に設定する。なお、表示手段８の立体画像表示モード１４は、手動によって平面画像表示モード１３に切り替えたり、アダプタ３をレンズ鏡筒１０から外して平面画像の撮影を行ったりしない限り、そのまま維持される。
【００３８】
このように、情報機器１においては、立体画像生成用データを扱うときには、使用者が特に現在の使用状態を意識することもなく、表示手段８を平面画像表示モード１３から立体画像表示モード１４に自動的に切り替えることが可能である。
【００３９】
なお、上記情報機器１においては、表示手段８の平面画像表示モード１３から立体画像表示モード１４への切り替えを立体画像生成用データの入力を検知手段９によって検知する所謂ソフト的な検知によって行うようにしたが、例えば、図４に破線で示すように、アダプタ３が装着されるレンズ鏡筒１０に検出スイッチを検知手段９ａとして設け、アダプタ３を筐体２のレンズ鏡筒１０に装着したときに検出手段９ａの検出に基づいて制御手段７に検出信号が出力され、制御手段７によって表示手段８が立体画像表示モードに切り替わるようにした機械的検知方法を用いることも可能である。
【００４０】
また、情報機器１において、アダプタ３の筐体２のレンズ鏡筒１０への装着を検知する、上記ソフト的検知や機械的検知などによる検知手段を省略して、平面表示モード１３と立体表示モード１４との表示モードの切り替えを手動による切り替えのみにすることによって、コストダウンを図ることも可能である。
【００４１】
なお、上記実施の形態は本発明情報機器をデジタルカメラに適用した例を示したが、本発明情報機器はデジタルカメラに限定されるものではなく、例えば、カメラ一体の携帯型電話機やビデオカメラなどに適用することもできる。
【００４２】
また、前記実施の形態において示した各部の具体的な形状及び構造は、何れも本発明を実施するに際して行う具体化のほんの一例を示したものに過ぎず、これらによって本発明の技術的範囲が限定的に解釈されることがあってはならないものである。
【００４３】
【発明の効果】
以上に記載したところから明らかなように、本発明情報機器は、画像の撮影を行う撮影手段と、撮影手段から入力された画像と撮影済みの画像を選択的に表示する表示手段とを有し、撮影手段に付加し撮影対象の画像を視差を有する２つの画像に分離する立体画像撮影用アダプタが装着可能な情報機器であって、上記表示手段が立体画像撮影用アダプタを用いて撮影された視差を有する２つの画像から生成される立体画像を表示する立体画像表示モードを備えることを特徴とする。
【００４４】
したがって、本発明情報機器にあっては、表示手段の立体画像表示モードで立体画像生成用データが表示されるので、撮影後直ぐに立体画像生成用データに撮影上の不具合がないか、立体画像として適正に表示されるかを確認することができ、立体画像にしたい撮影対象を確実に立体画像生成用データとして撮影することができる。
【００４５】
請求項２に記載した発明にあっては、表示手段が平面画像表示モードを備えるので、立体画像生成用データの表示に加えて平面画像も表示することができる。
【００４６】
請求項３に記載した発明にあっては、立体画像表示モードでは、画像の立体的表示を含む複数の表示を選択的に切り替え可能としたので、使用者が所望の表示を選択することができ、使い勝手の向上を図ることができる。
【００４７】
請求項４に記載した発明にあっては、立体画像が両眼視差を用いた立体画像表示方式に対応したものであり、立体画像表示モードでの画像の表示には、画像の立体的表示、左眼用画像と右眼用画像との重ね合わせ表示、左眼用画像と右眼用画像を画面の中央で左右に分けて同時に表示、左眼用画像のみの表示及び右眼用画像のみの表示が含まれるので、立体画像生成用データに撮影上の不具合が無いか様々な表示によって更に容易に確認することができる。
【００４８】
請求項５に記載した発明にあっては、立体画像表示モードで左眼用画像と右眼用画像を画面の中央で左右に分けて同時に表示する時に、左眼用画像と右眼用画像との位置ずれを確認するために、左眼用画像と右眼用画像に縦横の格子を重ねて表示し得るようにしたので、立体画像生成用データである左眼用画像と右眼用画像を比較して、撮影上の不具合、特に、立体画像撮影の失敗の主原因である両者間の位置のずれを極めて容易に確認することができる。
【００４９】
請求項６に記載した発明にあっては、撮影手段からの立体画像生成用データの出力を検知する検知手段を備え、検知手段によって立体画像生成用データが検知されたときには表示手段を立体画像表示モードに切り替えるようにしたので、検知手段によって立体画像生成用データが検知されると、表示手段が平面画像表示モードから立体画像表示モードに切り替わり立体画像生成用データが表示されるので、撮影後直ぐに立体画像生成用データに撮影上の不具合がないか、立体画像として適正に表示されるかを確認することができ、立体画像にしたい撮影対象を確実に立体画像生成用データとして撮影することができる。
【図面の簡単な説明】
【図１】本発明の実施の形態に係る情報機器を斜め前方から見た状態を示す斜視図である。
【図２】本発明情報機器の背面図である。
【図３】本発明情報機器の構成を概略的に示す水平断面図である。
【図４】本発明情報機器の内部構成を概略的に示すブロック図である。
【図５】表示手段の表示モードを示す図である。
【符号の説明】
１・・・情報機器、３・・・立体画像撮影用アダプタ、４・・・撮影手段、８・・・表示手段、９・・・検知手段、９ａ・・・検知手段、１３・・・平面画像表示モード、１４・・・立体画像表示モード、Ｌ・・・左眼用画像、Ｒ・・・右眼用画像
【図１】
2004112111.tif 000003
【図２】
2004112111.tif 000004
【図３】
2004112111.tif 000005
【図４】
2004112111.tif 000006
【図５】
2004112111.tif 000007